【手続補正書】
【提出日】平成21年1月19日(2009.1.19)
【手続補正１】
【補正対象書類名】手続補正書
【補正対象項目名】手続補正１
【補正方法】変更
【補正の内容】
【手続補正１】
【補正対象書類名】特許請求の範囲
【補正対象項目名】全文
【補正方法】変更
【補正の内容】
【特許請求の範囲】
【請求項１】
直交加速領域を備えた直交加速式飛行時間質量分析器を用意することと、
第１の親または前駆イオンのパケットまたは群を用意することと、
前記第１の親または前駆イオンのパケットまたは群を加速し、前記第１の親または前駆イオンのパケットまたは群が第１の軸方向エネルギーを有するようにすることと、
前記第１の親または前駆イオンのパケットまたは群を、複数の第１フラグメントまたは娘イオンへとフラグメント化するか、あるいは、前記第１の親または前駆イオンのパケットまたは群を、複数の第１フラグメントまたは娘イオンへと自ずとフラグメント化させることと、
第１遅延時間の後、前記複数の第１フラグメントまたは娘イオンの少なくとも一部を直交方向に加速することと、
前記複数の第１フラグメントまたは娘イオンのうち、第１の範囲の軸方向エネルギーを有するフラグメントまたは娘イオンを検出することと、
前記複数の第１フラグメントまたは娘イオンのうち、前記第１の範囲の軸方向エネルギーを有するフラグメントまたは娘イオンに関する第１の質量スペクトルデータを生成することと、
第２の親または前駆イオンのパケットまたは群を用意することと、
前記第２の親または前駆イオンのパケットまたは群を加速し、前記第２の親または前駆イオンのパケットまたは群が第２の異なる軸方向エネルギーを有するようにすることと、
前記第２の親または前駆イオンのパケットまたは群を、複数の第２フラグメントまたは娘イオンへとフラグメント化するか、あるいは、前記第２の親または前駆イオンのパケットまたは群を、複数の第２フラグメントまたは娘イオンへと自ずとフラグメント化させることと、
第２遅延時間の後、前記複数の第２フラグメントまたは娘イオンの少なくとも一部を直交方向に加速することと、
前記複数の第２フラグメントまたは娘イオンのうち、第２の範囲の軸方向エネルギーを有するフラグメントまたは娘イオンを検出することと、
前記複数の第２フラグメントまたは娘イオンのうち、前記第２の範囲の軸方向エネルギーを有する前記フラグメントまたは娘イオンに関する第２の質量スペクトルデータを生成することと、
前記第１の質量スペクトルデータと前記第２の質量スペクトルデータを使用する、組み合わせる、または部分的に重ねることによって複合質量スペクトルを形成することとを含む質量分析法。
【請求項２】
前記第１の範囲の軸方向エネルギーが、前記第２の範囲の軸方向エネルギーと実質的に同一である、請求項１に記載の質量分析法。
【請求項３】
前記第１遅延時間が、前記第２遅延時間とは実質的に異なる、請求項１または２に記載の質量分析法。
【請求項４】
第１電場領域を設けることと、
前記第１電場領域の下流に配置される第１フィールドフリー領域を設けることとをさらに含む、請求項１〜３のいずれか一項に記載の質量分析法。
【請求項５】
第２電場領域を設けることと、
前記第２電場領域の下流に配置される第２フィールドフリー領域を設けることとをさらに含む、請求項４記載の質量分析法。
【請求項６】
前記第１の親または前駆イオンのパケットまたは群を加速する前記工程が、前記第１電場および／または前記第１フィールドフリー領域および／または前記第２電場および／または前記第２フィールドフリー領域および／または前記１以上の電極を、第１電場強度、電圧もしくは電位、または電圧もしくは電位差に保持することを含み、また、前記第２の親または前駆イオンのパケットまたは群を加速する前記工程が、前記第１電場および／または前記第１フィールドフリー領域および／または前記第２電場および／または前記第２フィールドフリー領域および／または前記１以上の電極を、第２電場強度、電圧もしくは電位、または電圧もしくは電位差に保持することを含む、請求項４または５に記載の質量分析法。
【請求項７】
前記方法が、
第３の親または前駆イオンのパケットまたは群を用意することと、
前記第３の親または前駆イオンのパケットまたは群を加速し、前記第３の親または前駆イオンのパケットまたは群が第３の異なる軸方向エネルギーを有するようにすることと、
前記第３の親または前駆イオンのパケットまたは群を、複数の第３フラグメントまたは娘イオンへとフラグメント化するか、あるいは、前記第３の親または前駆イオンのパケットまたは群を、複数の第３フラグメントまたは娘イオンへと自ずとフラグメント化させることと、
第３遅延時間の後、前記複数の第３フラグメントまたは娘イオンの少なくとも一部を直交方向に加速することと、
前記複数の第３フラグメントまたは娘イオンのうち、第３の範囲の軸方向エネルギーを有するフラグメントまたは娘イオンを検出することと、
前記複数の第３フラグメントまたは娘イオンのうち、前記第３の範囲の軸方向エネルギーを有するフラグメントまたは娘イオンに関する第３の質量スペクトルデータを生成することとをさらに含み、
前記複合質量スペクトルを形成する工程が、前記第１の質量スペクトルデータ、前記第２の質量スペクトルデータ、および前記第３の質量スペクトルデータを使用する、組み合わせる、または部分的に重ねることをさらに含む、請求項１〜６のいずれか一項に記載の質量分析法。
【請求項８】
直交加速領域を備えた直交加速式飛行時間質量分析器と、
（i）第１の親または前駆イオンのパケットまたは群を加速し、前記第１の親または前駆イオンのパケットまたは群が第１の軸方向エネルギーを有するようにし、
（ii）前記第１の親または前駆イオンのパケットまたは群を、複数の第１フラグメントまたは娘イオンへとフラグメント化するか、あるいは、前記第１の親または前駆イオンのパケットまたは群を、複数の第１フラグメントまたは娘イオンへと自ずとフラグメント化させ、
（iii）第１遅延時間の後、前記複数の第１フラグメントまたは娘イオンの少なくとも一部を直交方向に加速し、
（iv）第２の親または前駆イオンのパケットまたは群を加速し、前記第２の親または前駆イオンのパケットまたは群が第２の異なる軸方向エネルギーを有するようにし、
（v）前記第２の親または前駆イオンのパケットまたは群を、複数の第２フラグメントまたは娘イオンへとフラグメント化するか、あるいは、前記第２の親または前駆イオンのパケットまたは群を、複数の第２フラグメントまたは娘イオンへと自ずとフラグメント化させ、かつ
（vi）第２遅延時間の後、前記複数の第２フラグメントまたは娘イオンの少なくとも一部を直交方向に加速するように構成された制御システムと、
（i）前記複数の第１フラグメントまたは娘イオンのうち、第１の範囲の軸方向エネルギーを有するフラグメントまたは娘イオンを検出し、
（ii）前記複数の第２フラグメントまたは娘イオンのうち、第２の範囲の軸方向エネルギーを有するフラグメントまたは娘イオンを検出するように構成されたイオン検出器とを備えた質量分析計であって、
前記質量分析計が、
前記複数の第１フラグメントまたは娘イオンのうち、前記第１の範囲の軸方向エネルギーを有するフラグメントまたは娘イオンに関する第１の質量スペクトルデータを生成するように構成された手段と、
前記複数の第２フラグメントまたは娘イオンのうち、前記第２の範囲の軸方向エネルギーを有する前記フラグメントまたは娘イオンに関する第２の質量スペクトルデータを生成するように構成された手段と、
前記第１の質量スペクトルデータと前記第２の質量スペクトルデータを使用する、組み合わせる、または部分的に重ねることによって複合質量スペクトルを形成するように構成された手段とをさらに備えた質量分析計。
【請求項９】
衝突、フラグメント化、または反応装置をさらに備え、
親または前駆イオンの少なくとも一部は、使用時に前記衝突、フラグメント化、または反応装置内でフラグメント化されるか、または反応させられ、フラグメント、娘、付加、または生成イオンを形成し、また、前記フラグメント、娘、付加または生成イオンおよび／またはこれらに対応するあらゆる親または前駆イオンは、実質的に同じ速度で前記衝突、フラグメント化、または反応装置から離脱し、実質的に同時に前記直交加速領域に到達する、請求項８に記載の質量分析計。
【請求項１０】
直交加速領域を備えた直交加速式飛行時間質量分析器を用意することと、
第１の親または前駆イオンのパケットまたは群を用意することと、
前記第１の親または前駆イオンのパケットまたは群を、複数の第１フラグメントまたは娘イオンへとフラグメント化するか、あるいは、前記第１の親または前駆イオンのパケットまたは群を、複数の第１フラグメントまたは娘イオンへと自ずとフラグメント化させることと、
前記複数の第１フラグメントまたは娘イオンの少なくとも一部を直交方向に加速し、前記複数の第１フラグメントまたは娘イオンの前記少なくとも一部が第１の直交方向エネルギーを有するようにすることと、
前記複数の第１フラグメントまたは娘イオンのうち、前記第１の直交方向エネルギーを有するフラグメントまたは娘イオンを検出することと、
前記複数の第１フラグメントまたは娘イオンのうち、前記第１の直交方向エネルギーを有するフラグメントまたは娘イオンに関する第１の質量スペクトルデータを生成することと、
第２の親または前駆イオンのパケットまたは群を用意することと、
前記第２の親または前駆イオンのパケットまたは群を、複数の第２フラグメントまたは娘イオンへとフラグメント化するか、あるいは、前記第２の親または前駆イオンのパケットまたは群を、複数の第２フラグメントまたは娘イオンへと自ずとフラグメント化させることと、
前記複数の第２フラグメントまたは娘イオンの少なくとも一部を直交方向に加速し、前記複数の第２フラグメントまたは娘イオンの前記少なくとも一部が第２の異なる直交方向エネルギーを有するようにすることと、
前記複数の第２フラグメントまたは娘イオンのうち、前記第２の直交方向エネルギーを有するフラグメントまたは娘イオンを検出することと、
前記複数の第２フラグメントまたは娘イオンのうち、前記第２の直交方向エネルギーを有する前記フラグメントまたは娘イオンに関する第２の質量スペクトルデータを生成することと、
前記第１の質量スペクトルデータと前記第２の質量スペクトルデータを使用する、組み合わせる、または部分的に重ねることによって複合質量スペクトルを形成することとを含む質量分析法。
【請求項１１】
直交加速領域を備えた直交加速式飛行時間質量分析器と、
（i）第１の親または前駆イオンのパケットまたは群を、複数の第１フラグメントまたは娘イオンへとフラグメント化するか、あるいは、前記第１の親または前駆イオンのパケットまたは群を、複数の第１フラグメントまたは娘イオンへと自ずとフラグメント化させ、
（ii）前記複数の第１フラグメントまたは娘イオンの少なくとも一部を直交方向に加速し、前記複数の第１フラグメントまたは娘イオンの前記少なくとも一部が第１の直交方向エネルギーを有するようにし、
（iii）第２の親または前駆イオンのパケットまたは群を、複数の第２フラグメントまたは娘イオンへとフラグメント化するか、あるいは、前記第２の親または前駆イオンのパケットまたは群を、複数の第２フラグメントまたは娘イオンへと自ずとフラグメント化させ、かつ
（iv）前記複数の第２フラグメントまたは娘イオンの少なくとも一部を直交方向に加速し、前記複数の第２フラグメントまたは娘イオンの前記少なくとも一部が第２の異なる直交方向エネルギーを有するようにするように構成された制御システムと、
（i）前記複数の第１フラグメントまたは娘イオンのうち、前記第１の直交方向エネルギーを有するフラグメントまたは娘イオンを検出し、
（ii）前記複数の第２のフラグメントまたは娘イオンのうち、前記第２の直交方向エネルギーを有するフラグメントまたは娘イオンを検出するように構成されたイオン検出器とを備えた質量分析計であって、
前記質量分析計が、
前記複数の第１フラグメントまたは娘イオンのうち、前記第１の直交方向エネルギーを有するフラグメントまたは娘イオンに関する第１の質量スペクトルデータを生成するように構成された手段と、
前記複数の第２フラグメントまたは娘イオンのうち、前記第２の直交方向エネルギーを有する前記フラグメントまたは娘イオンに関する第２の質量スペクトルデータを生成するように構成された手段と、
前記第１の質量スペクトルデータと前記第２の質量スペクトルデータを使用する、組み合わせる、または部分的に重ねることによって複合質量スペクトルを形成するように構成された手段とをさらに備えた質量分析計。